(57)【要約】【課題】ボルトなどの突起へのベルトの引っ掛かりを防止することのできるベルト取付治具の提供。【解決手段】ベルト取付治具１を固定手段６でプーリ２に固定する。保持面８でベルト４の一部を受けてプーリフランジ７よりもプーリ軸方向外側に保持する。保持面８よりもプーリ２の回転方向前方かつプーリ２よりもプーリ軸方向外側に導入面９を設ける。導入面９がボルト１０とベルト４との間に介在する。導入面９が突起接触阻止部となる。プーリ２から突出するボルト１０にベルト４が接触するのを阻止する。プーリ２を回転させながら、ベルト４をプーリ溝５に取り付ける。【選択図】  図１
2013199969.tif 000002
【特許請求の範囲】
【請求項１】
外周面にプーリ溝を有するプーリを回転させながら、周方向に伸長可能なベルトを前記プーリ溝に取り付けるためのベルト取付治具であって、
少なくとも前記ベルトがプーリ溝に嵌るまで、当該ベルト取付治具を前記プーリに固定するための固定手段と、前記ベルトがプーリ軸方向に滑ってプーリ溝に嵌るまで、前記ベルトの一部を受けてプーリフランジよりもプーリ軸方向外側に保持する保持面と、を備え、
前記プーリからプーリ軸方向外側に突出する突起に前記ベルトが接触するのを阻止する突起接触阻止部が設けられ、該突起接触阻止部は、前記突起と前記ベルトとの間に介在するよう、当該ベルト取付治具のプーリへの固定状態で前記保持面よりもプーリの回転方向前方かつ前記プーリよりもプーリ軸方向外側に位置する部位に設けられたことを特徴とするベルト取付治具。
【請求項２】
前記プーリよりもプーリ軸方向外側で前記保持面よりもプーリの回転方向前方を通るベルトを前記保持面に導入する導入面が形成され、該導入面が前記突起接触阻止部と兼用されたことを特徴とする請求項１に記載のベルト取付治具。
【請求項３】
前記導入面を挟んでベルトと反対側に、前記突起に係止する係止孔が形成され、該係止孔が前記固定手段とされたことを特徴とする請求項２に記載のベルト取付治具。
【請求項４】
前記突起接触阻止部は、前記保持面よりもプーリの回転方向前方で前記プーリのプーリ軸方向外側を覆う覆い部とされたことを特徴とする請求項１に記載のベルト取付治具。
【請求項５】
前記覆い部の外面側を通る前記ベルトを前記保持面に導入する導入面が形成されたことを特徴とする請求項４に記載のベルト取付治具。
【請求項６】
前記保持面よりもプーリの回転方向後方に、当該ベルト取付治具よりもプーリの回転方向後方のプーリ溝に嵌めたベルトが外れるのを阻止するプーリ溝用外れ止めが設けられたことを特徴とする請求項４又は５に記載のベルト取付治具。
【請求項７】
前記導入面に、該導入面からプーリ軸方向外側にベルトが外れるのを阻止する導入面用外れ止めが設けられたことを特徴とする請求項４、５又は６に記載のベルト取付治具。
【請求項８】
前記導入面は、プーリの回転中心と前記保持面の回転方向前端とを結ぶ直線よりもプーリの回転方向前方に突出して形成され、導入するベルトの張力によってプーリを回転させることを特徴とする請求項２又は５に記載のベルト取付治具。
【請求項９】
前記プーリに形成された嵌合穴に嵌合する嵌合突起が形成されたことを特徴とする請求項１〜８のうちのいずれかに記載のベルト取付治具。
【発明の詳細な説明】
【技術分野】
【０００１】
本発明は、外周面にプーリ溝を有するプーリを回転させながら、周方向に伸長可能なベルトを前記プーリ溝に取り付けるためのベルト取付治具に関するものである。
【背景技術】
【０００２】
一般に、外周面にプーリ溝を有するプーリにベルトを掛巻してなるベルト伝動機構には、ベルトをプーリに取り付けてから所定のベルト張力を付与するように、テンションプーリなどの張力調整手段が設けられている。
【０００３】
このような張力調整手段を不要にするため、プーリに取り付ける際に周方向に伸長させてプーリフランジを乗り越えさせるようにしたベルトが出現しており、さらに、例えば特許文献１は、ベルトを周方向に伸長させながらプーリフランジを乗り越えさせてプーリ溝に嵌め込むためのベルト取付治具を開示している。
【０００４】
図１５に、特許文献１が開示するベルト取付治具を示す。ベルト取付治具１０１は、プーリ１０２に装着して使用するものであり、他方のプーリ１０３にベルト１０４を掛巻すると共に、プーリ１０２のうち、ベルト取付治具１０１よりもプーリ回転方向後方のプーリ溝にベルト１０４を嵌めるようになっている。また、ベルト１０４を保持面１０５に掛けて、ベルト取付治具１０１よりもプーリ回転方向前方でプーリ１０２よりもプーリ軸方向外方にベルト１０４を通す。さらに、プーリ１０３に工具を装着して回転させて、ベルト取付治具１０１をプーリ回転方向前方に進め、ベルト１０４のうちのプーリ溝に嵌る範囲を徐々に広げることにより、ベルト１０４がプーリ１０２に取り付けられる。
【先行技術文献】
【特許文献】
【０００５】
【特許文献１】特開２００９−８１１５号公報（段落００２８〜００３３、図４）
【発明の概要】
【発明が解決しようとする課題】
【０００６】
ところで、特許文献１のベルト取付治具は、これに掛けたベルトをプーリの軸方向外側を通すようにしているので、ベルトをプーリに取り付ける際、プーリ軸方向外側を通るベルトがプーリの回転に伴って移動する。この場合、プーリからプーリ軸方向外側に突出する各種ボルトなどの突起があると、この突起にベルトが引っ掛かって、ベルトの取り付けの邪魔になったり、ベルトを損傷させたりするおそれがある。
【０００７】
本発明は、ボルトなどの突起へのベルトの引っ掛かりを防止することのできるベルト取付治具を提供することを目的とする。
【課題を解決するための手段】
【０００８】
上記目的を達成するために、本発明に係るベルト取付治具は、外周面にプーリ溝を有するプーリを回転させながら、周方向に伸長可能なベルトをプーリ溝に取り付けるためのものであり、少なくともベルトがプーリ溝に嵌るまで、このベルト取付治具をプーリに固定するための固定手段と、ベルトがプーリ軸方向に滑ってプーリ溝に嵌るまで、ベルトの一部を受けてプーリフランジよりもプーリ軸方向外側に保持する保持面と、を備えたものである。さらに、プーリからプーリ軸方向外側に突出する突起にベルトが接触するのを阻止する突起接触阻止部を設けたものであり、この突起接触阻止部を、突起とベルトとの間に介在するよう、ベルト取付治具のプーリへの固定状態で保持面よりもプーリの回転方向前方かつプーリよりもプーリ軸方向外側に位置する部位に設けたものである。
【０００９】
上記構成によれば、保持面よりもプーリの回転方向前方かつプーリよりも軸方向外側に突起接触阻止部を設けて、この突起接触阻止部をプーリの突起とベルトとの間に介在させるので、ベルトのうちのプーリ軸方向外側を通る部位が突起に接触するのを阻止して、プーリからプーリ軸方向外側に突出するボルトなどの突起へのベルトの引っ掛かりを防止することができる。
【００１０】
ここで、保持面は、プーリフランジよりもプーリ軸方向外側に位置し、半径方向の位置がプーリフランジの外周面と同程度に設定された面である。この保持面を境にして、プーリ回転方向の後方ではプーリ溝にベルトを嵌め、プーリ回転方向の前方ではプーリの軸方向外側にベルトを通すことにより、ベルトを張力のない状態でプーリおよびベルト取付治具に掛けることができる。さらに、プーリを回転させたとき、これに追随してベルト取付治具も周方向に回転するので、ベルト取付治具よりもプーリ回転方向前方でプーリの軸方向外側を通るベルトが、半径方向外向きに移動して、プーリフランジの外周面よりも半径方向外側に至ったとき、プーリフランジを乗り越えるように滑ってプーリ溝に嵌る。
【００１１】
突起接触阻止部の具体的な構成としては、プーリよりもプーリ軸方向外側で保持面よりもプーリの回転方向前方を通るベルトを保持面に導入する導入面を形成し、この導入面を突起接触阻止部と兼用するようにした構成を例示できる。この構成によれば、導入面と突起接触阻止部とを兼用するので、プーリの軸方向外側を通るベルトを導入面によって保持面に導入しつつ、突起接触阻止部としての導入面を突起とベルトとでプーリ軸と直交する方向に挟むように介在させることができ、保持面へのベルトの導入経路をベルトが突起に接触することのない経路に設定することができる。
【００１２】
さらに、導入面を挟んでベルトと反対側に、突起に係止する係止孔を形成し、この係止孔を固定手段としてもよい。この構成によれば、係止孔を固定手段として用いるので、例えばベルト取付治具をプーリのセンターボルトに固定できない場合であっても、プーリへのベルト取付治具の固定を容易にすることができる。しかも、突起に係止孔を係止することによって、突起の周囲を取り囲むことができるので、突起へのベルトの接触をより確実に防止することができる。
【００１３】
また、突起接触阻止部の別の構成として、保持面よりもプーリの回転方向前方でプーリのプーリ軸方向外側を覆う覆い部としてもよい。この構成によれば、プーリのプーリ軸方向外側のうち、保持面よりもプーリの回転方向前方部分を覆い部で覆うので、この突起接触阻止部としての覆い部を突起とベルトとでプーリ軸と平行な方向に挟むように介在させることができる。これにより、保持面よりもプーリの回転方向前方における広い範囲に渡って、プーリの軸方向外側を通るベルトの移動を許容しつつ、突起へのベルトの接触を防止することができる。
【００１４】
さらに、覆い部の外面側を通るベルトを保持面に導入する導入面を形成するようにしてもよい。この構成によれば、ベルトを導入面に沿わせて滑らかに保持面まで導入することができるので、ベルトのうち、ベルト取付治具を装着したプーリ及び他のプーリのプーリ溝にあらかじめ嵌めた部分がそのプーリ溝から外れるのを防止することができる。つまり、プーリのプーリ軸方向外側に覆い部を設ける分、プーリ溝からプーリ軸方向外側へより離れた位置にベルトを通すことになるので、単にベルトを保持面に掛けただけでは、そのベルトがプーリ溝から外れやすくなるが、導入面を形成してベルトを保持面まで導入することにより、プーリ溝からベルトを外れ難くすることができる。
【００１５】
また、保持面よりもプーリの回転方向後方に、このベルト取付治具よりもプーリの回転方向後方のプーリ溝に嵌めたベルトが外れるのを阻止するプーリ溝用外れ止めを設けるようにしてもよい。この構成によれば、ベルトのうちのあらかじめプーリ溝に嵌めた部分のうち、特に、保持面よりもプーリの回転方向後方の部位の外れをより確実に防止することができる。
【００１６】
また、導入面に、この導入面からプーリ軸方向外側にベルトが外れるのを阻止する導入面用外れ止めを設けるようにしてもよい。この構成によれば、プーリ溝だけでなく、導入面からプーリ軸方向外側へのベルトの外れを防止することができる。
【００１７】
また、導入面を、プーリの回転中心と保持面の回転方向前端とを結ぶ直線よりもプーリの回転方向前方に突出して形成し、導入するベルトの張力によってプーリを回転させるようにしてもよい。この構成によれば、導入面をプーリの回転方向前方に突出させるので、保持面が保持する部分のベルトの張力をプーリの径方向から周方向に傾斜した方向に作用させることができ、導入するベルトの張力によってプーリを回転させることができる。これにより、ベルト取付治具を装着したプーリとは別のプーリに工具を装着するなどして、この別のプーリを回転させてベルト取付治具を装着したプーリを回転させることができ、ベルトの取り付け方を多様化することができる。
【００１８】
また、プーリに形成された嵌合穴に嵌合する嵌合突起を形成するようにしてもよい。この構成によれば、嵌合突起を固定手段として用いたり、プーリに対するベルト取付治具の位置決めとして用いたりすることができる。
【発明の効果】
【００１９】
以上のとおり、本発明によると、プーリからプーリ軸方向外側に突出する突起にベルトが接触するのを阻止する突起接触阻止部を設けるので、ボルトなどの突起へのベルトの引っ掛かりを防止することができ、その突起がベルトの取り付けの邪魔になったり、ベルトを損傷させたりするのを防止することができる。
【図面の簡単な説明】
【００２０】
【図１】本発明の第１実施形態に係るベルト取付治具の正面側から見た斜視図
【図２】図１のベルト取付治具の背面側から見た斜視図
【図３】図１のベルト取付治具の正面図
【図４】図１のベルト取付治具の背面図
【図５】図３のＡ−Ａ断面図
【図６】図１のベルト取付治具を用いたベルトの取付手順を説明する図
【図７】本発明の第２実施形態に係るベルト取付治具の斜視図で、（ａ）は正面側から見た斜視図、（ｂ）は背面側から見た斜視図
【図８】本発明の第３実施形態に係るベルト取付治具の正面図
【図９】図８のベルト取付治具の背面図
【図１０】図８のベルト取付治具の右側面図
【図１１】図８のベルト取付治具の左側面図
【図１２】図８のベルト取付治具の平面図
【図１３】図８のベルト取付治具の底面図
【図１４】図８のベルト取付治具を用いたベルトの取付手順を説明する図
【図１５】従来のベルトの取付手順を説明する図
【発明を実施するための形態】
【００２１】
以下、本発明に係るベルト取付治具を実施するための第１実施形態〜第３実施形態について、図面を用いて説明する。
【００２２】
［第１実施形態］
ベルト取付治具１は、例えば一対のプーリ２、３のうち、一方のプーリ２のプーリ軸方向外側に装着して使用するものであり、このベルト取付治具１及び他方のプーリ３にベルト４を掛け、例えば他方のプーリ３を回転させることにより、ベルト４及びベルト取付治具１を介して一方のプーリ２を回転させながら、プーリ２の外周面に形成されたプーリ溝５にベルト４を取り付けるものである。
【００２３】
図１〜図５に示すように、ベルト取付治具１は、少なくともベルト４がプーリ溝５に嵌るまで、このベルト取付治具１をプーリ２に固定するための固定手段６と、ベルト４がプーリ軸方向に滑ってプーリ溝５に嵌るまで、ベルト４の一部を受けてプーリフランジ７よりもプーリ軸方向外側に保持する保持面８と、プーリ２よりもプーリ軸方向外側で保持面８よりもプーリ２の回転方向前方を通るベルト４を保持面８に導入する導入面９と、を備え、その導入面９が、プーリ２からプーリ軸方向外側に突出する突起としてのボルト１０にベルト４が接触するのを阻止する突起接触阻止部としても機能する。
【００２４】
ベルト取付治具１は、例えば長手方向の長さがプーリ２の半径よりも長くかつ直径よりも短く設定された略長方形の厚板状とされ、その周面にベルト４を掛けることのできる厚さに設定される。このベルト取付治具１は、長手方向で一端側の端面が保持面８とされると共に、一方の側面が導入面９とされ、長手方向をプーリ２の半径方向に合わせて装着される。
【００２５】
固定手段６は、導入面９を挟んでベルト４と反対側に位置してボルト１０に係止するよう形成された係止孔１１と、プーリ２の中央のプーリ軸１２に係止するよう導入面８と反対側の側面に掛けて形成された半円状の切欠１３と、プーリ２の嵌合穴１４に嵌合するよう背面側に突設された略楕円状の嵌合突起１５と、プーリフランジ７を跨いでプーリ溝５に嵌るよう保持面８に連続して突出する突出片１６とからなる。この固定手段６は、係止孔１１、切欠１３及び嵌合突起１５で、ベルト取付治具１のプーリ軸に直交する方向への移動を規制すると共に、プーリ溝５に嵌めた突出片１６で、ベルト取付治具１のプーリ軸方向への移動を規制する。
【００２６】
保持面８は、ベルト取付治具１をプーリ２に装着した状態で、プーリフランジ７の外周面と半径方向に同程度の位置に設定される。この保持面８に連続する突出片１６は、プーリ２の回転に伴って引き伸ばされたベルト４のうちの保持面８に保持された部位を、プーリフランジ７を乗り越えさせてプーリ溝５に滑り込ませる。
【００２７】
導入面９は、保持面８に連続してプーリ２の回転方向前方に膨らむ曲面状に形成され、ベルト取付治具１をプーリ２に装着した状態で、保持面８よりもプーリ２の回転方向前方に位置して、突起接触阻止部として機能しつつ、プーリフランジ７よりもプーリ軸方向外側でプーリ２の回転方向前方を通るベルト４を保持面８に導入する。この導入面９は、曲面状に膨らむことによって、プーリ２の回転中心と保持面８の回転方向前端とを結ぶ直線よりもプーリ２の回転方向前方に突出し、導入するベルト４を回転方向に向けることにより、ベルト４の張力によってプーリ２を回転させる。
【００２８】
プーリ２、３は、プーリ軸１２に装着されて回転自在に支持され、例えばＶリブドベルトを掛巻するよう、外周面のプーリ溝５に複数の溝が形成されている。例えば、プーリ２、３のうち、プーリ２は、これを回転させるための工具１７を装着できないプーリであり、プーリ３は、プーリ２よりも大径、あるいは高負荷のプーリである。
【００２９】
ベルト４は、テンショナーなどの張力調整手段を不要にするよう、周方向に伸長可能とされたものであり、例えばベルト本体にポリアミドからなる心線を埋設した構造とすることによって周方向の伸び率を２〜３％に設定される。なお、ベルト４として、Ｖリブドベルトを例示しているが、平ベルトなどのＶリブドベルト以外のベルトであってもよい。
【００３０】
次に、ベルト取付治具１を用いて一対のプーリ２、３にベルト４を取り付ける手順を説明する。
【００３１】
まず、図６（ａ）に示すように、ベルト取付治具１を小径側のプーリ２に装着し、適宜プーリ２を回転させて、ベルト取付治具１を、プーリ２、３の回転中心を結ぶラインよりも回転方向後方に位置させる。ここで、ベルト取付治具１をプーリ２に装着するには、嵌合突起１５をプーリ２の嵌合穴１４に嵌合して位置決めしつつ、係止孔１１をボルト１０に被せて係止すると共に、切欠１３をプーリ２の中央のプーリ軸１２に係止し、プーリフランジ７を跨ぐようにして突出片１６をプーリ溝５に嵌めて固定する。
【００３２】
また、ベルト４を大径側のプーリ３に掛巻すると共に、プーリ２のうち、ベルト取付治具１よりもプーリ回転方向後方のプーリ溝５にベルト４を嵌める。さらに、ベルト取付治具１の近傍で、ベルト４をベルト幅方向に曲げるように、かつ突出片１６に沿わせてプーリフランジ７を跨ぐようにする。
【００３３】
ベルト取付治具１の保持面８及び導入面９にベルト４を掛けて、ベルト取付治具１よりもプーリ回転方向前方でプーリ２よりもプーリ軸方向外方にベルト４を通す。突起接触阻止部としても機能する導入面９にベルト４を掛けるので、このベルト４がボルト１０に接触するのを阻止することができ、特に、係止孔１１をボルト１０に被せて係止するので、ボルト１０の周囲を取り囲むことができ、ベルト４がボルト１０に接触するのをより確実に防止することができる。なお、この状態ではベルト４に張力は作用しておらず、ベルト取付治具１およびプーリ２、３に容易にベルト４を掛けることができる。
【００３４】
次いで、図６（ｂ）、（ｃ）に示すように、大径側のプーリ３のセンターボルト１８に例えば市販の工具１７を装着してプーリ３を回転させることにより、ベルト４及びベルト取付治具１を介してプーリ２を回転させる。これにより、ベルト４を伸長させながら、ベルト取付治具１がプーリ回転方向前方に進み、ベルト４のうちのプーリ溝５に嵌る範囲が広がっていく。
【００３５】
このとき、ベルト４は、導入面９によってプーリ２の回転方向に向けられているので、ベルト４の張力によってプーリ２を回転させることができる。また、大径側のプーリ３を原動側として回転させ、小径側のプーリ２を従動側として回転させるので、回転に要する力を小さくすることができる。
【００３６】
ベルト取付治具１よりもプーリ回転方向後方でベルト４がプーリ溝５に嵌ってプーリ軸方向の移動を規制されているので、プーリ回転方向前方では、ベルト幅方向に曲がったベルト４の復元力によって、ベルト４をプーリ溝５に向かって移動させる力が作用する。なお、ベルト４の復元力は、ベルト張力の分力としてのスラスト力や、ベルト４の弾性力である。
【００３７】
ベルト取付治具１よりもプーリ回転方向前方で、ベルト４がプーリ２の中心付近から半径方向外向きに移動して、徐々にプーリフランジ７の外縁に近づいていく。やがて、ベルト４の復元力により、ベルト４がプーリフランジ７を乗り越えるようにして、保持面８から突出片１６を滑ってプーリ溝５に嵌り、図６（ｄ）に示すように、ベルト４が完全にプーリ２に取り付けられる。その後、プーリ２からベルト取付治具１を取り外して、ベルト４の取り付けが完了する。
【００３８】
［第２実施形態］
図７に示すように、第２実施形態のベルト取付治具１９は、第１実施形態のベルト取付治具１とほぼ同じ構成であるが、嵌合突起１５を省略したものである。嵌合突起１５を省略しても、係止孔１１、切欠１３及び突出片１６によって、プーリ２に固定することができる。他の構成は第１実施形態と同じである。
【００３９】
［第３実施形態］
図８〜図１３に示すように、第３実施形態のベルト取付治具２０は、第１実施形態のベルト取付治具１とほぼ同じ構成であるが、突起接触阻止部として、保持面２１よりもプーリ２の回転方向前方でプーリ２のプーリ軸方向外側を覆う覆い部２２を備えている。
【００４０】
覆い部２２は、プーリ２と同程度の半径の半円板状とされて、その円弧部分に、背面側に突出する曲片２３が連続して形成されると共に、半円の直線部分のうちの中央から一側部分に、正面側に隆起する隆起部２４が形成され、その曲片２３及び隆起部２４の一側端部が保持面２１とされる。
【００４１】
曲片２３は、プーリ２の軸方向外側面から突出する突出部２５の外周側に位置して、先端がプーリ２の軸方向外側面に当接することにより、プーリ２の軸方向外側に突出する突起としてのボルト２６などが覆い部２２の背面に干渉するのを防止するスペーサーとして機能する。
【００４２】
曲片２３のうちの中央よりも一側部分には、その先端から背面側に突出する突出片２７が形成され、この突出片２７がプーリフランジ７を跨いでプーリ溝５に嵌るようになっている。この突出片２７は、保持面２１が保持するベルト４をプーリ溝５に滑り込ませると共に、その溝２８をプーリフランジ７に係止してベルト取付治具２０をプーリ２に固定するための固定手段としても機能する。
【００４３】
隆起部２４は、その回転方向前方の側面が曲面状の傾斜面に形成され、この傾斜面が、覆い部２２の外面側を通るベルト４を保持面２１に導入する導入面２９とされる。導入面２９は、保持面２１に連続してプーリ２の回転方向前方に膨らむ曲面状に形成され、プーリ２の回転中心と保持面２１の回転方向前端とを結ぶ直線よりもプーリ２の回転方向前方に突出し、導入するベルト４を回転方向に向けることにより、ベルト４の張力によってプーリ２を回転させる。
【００４４】
隆起部２４の一側端面のうちの保持面２１よりもプーリ２の回転方向後方には、プーリ溝用外れ止め３０が形成され、ベルト取付治具２０よりもプーリ２の回転方向後方のプーリ溝５に嵌めたベルト４が外れるのを阻止するようになっている。プーリ溝用外れ止め３０は、断面略平行四辺形で隆起部２４から一側に突出して形成され、その斜辺に沿わせて、導入面２９から保持面２１に導入されたベルト４を滑らかにプーリ溝５まで導く。
【００４５】
覆い部２２の中心部で導入面２９の他側端部には、この導入面２９からプーリ軸方向外側にベルト４が外れるのを阻止する導入面用外れ止め３１が設けられている。導入面用外れ止め３１は、その周縁部が導入面２９よりも径方向に突出する大きさの円板状とされ、導入面２９を傾斜面に形成してベルト４を保持面２１からプーリ溝５まで滑らかに導入しつつ、導入面２９の傾斜に沿って滑ることによるベルト４の外れを阻止する。
【００４６】
図１４に示すように、ベルト取付治具２０を用いて一対のプーリ２、３にベルト４を取り付ける手順は、第１実施形態とほぼ同じであるが、ベルト取付治具２０をプーリ２に装着する際、プーリフランジ７を跨ぐように突出片２７をプーリ溝５に嵌め、その溝２８をプーリフランジ７に係止する。
【００４７】
また、ベルト４を大径側のプーリ３に掛巻すると共に、プーリ２のうち、ベルト取付治具２０よりもプーリ回転方向後方のプーリ溝５にベルト４を嵌める。さらに、ベルト４をプーリ溝用外れ止め３０に掛けてベルト幅方向に曲げるように、かつ突出片２７に掛けてプーリフランジ７を跨ぐようにする。ベルト４を突出片２７に掛けることにより、突出片２７が押えられて、プーリフランジ７への係止状態が維持される。
【００４８】
ベルト取付治具２０の保持面２１、導入面２９及び導入面用外れ止め３１にベルト４を掛けて、ベルト取付治具２０よりもプーリ回転方向前方でプーリ２よりもプーリ軸方向外方にベルト４を通す。このとき、突起接触阻止部としての覆い部２２でプーリ２のプーリ軸方向外側を覆っているので、ベルト４がボルト２６などに接触するのを阻止することができる。
【００４９】
次いで、図１４（ｂ）、（ｃ）に示すように、第１実施形態と同様、大径側のプーリ３を回転させてプーリ２を回転させ、図１４（ｄ）に示すように、ベルト４を完全にプーリ２に取り付ける。その後、プーリ２からベルト取付治具２０を取り外して、ベルト４の取り付けが完了する。他の構成は第１実施形態と同じである。
【符号の説明】
【００５０】
１    ベルト取付治具
２    プーリ
３    他方のプーリ
４    ベルト
５    プーリ溝
６    固定手段
７    プーリフランジ
８    保持面
９    導入面（突起接触阻止部）
１０  ボルト（突起）
１１  係止孔
１２  プーリ軸
１３  切欠
１４  嵌合穴
１５  嵌合突起
１６  突出片
１７  工具
１８  センターボルト
１９  ベルト取付治具
２０  ベルト取付治具
２１  保持面
２２  覆い部（突起接触阻止部）
２３  曲片
２４  隆起部
２５  突出部
２６  ボルト（突起）
２７  突出片（固定手段）
２８  溝
２９  導入面
３０  プーリ溝用外れ止め
３１  導入面用外れ止め
【図１】
2013199969.tif 000003
【図２】
2013199969.tif 000004
【図３】
2013199969.tif 000005
【図４】
2013199969.tif 000006
【図５】
2013199969.tif 000007
【図６】
2013199969.tif 000008
【図７】
2013199969.tif 000009
【図８】
2013199969.tif 000010
【図９】
2013199969.tif 000011
【図１０】
2013199969.tif 000012
【図１１】
2013199969.tif 000013
【図１２】
2013199969.tif 000014
【図１３】
2013199969.tif 000015
【図１４】
2013199969.tif 000016
【図１５】
2013199969.tif 000017